(57)【要約】【課題】 無線通信機の使用者に温度上昇が判り、出力低下処理がなされたことが判るようにした無線通信機を提供するものである。      【解決手段】 無線通信機の送信部における終段増幅器近傍の温度を温度ＩＣ１によって検出し、温度ＩＣ１による検出温度を無線通信機表面に設けたＬＣＤ表記器９にて表示すると共に、送信中に検出温度が予め定めた温度を超えたとき増幅器出力制御手段１０によって終段増幅器の出力低下制御を行わせるようにした。     【選択図】        図１
2007158734.tif 000002
【特許請求の範囲】
【請求項１】
無線通信機の送信部における終段増幅器近傍の温度を検出する温度検出手段と、温度検出手段による検出温度を表示する温度表示手段とを備え、温度表示手段を無線通信機の表面に設けたことを特徴とする無線通信機。
【請求項２】
請求項１記載の無線通信機において、送信中に検出温度が予め定めた温度を超えたとき終段増幅器の出力低下制御を行う制御手段を備えたことを特徴とする無線通信機。
【発明の詳細な説明】
【技術分野】
【０００１】
本発明は温度表示器を備えた無線通信機に関する。
【背景技術】
【０００２】
従来から無線通信機において、図３に示すように、送信部における出力部分はＲＦ信号を増幅する駆動段増幅器１１、駆動段増幅器１１の出力を増幅する終段増幅器１２、終段増幅器１２の出力インピーダンスとアンテナのインピーダンスとのマッチングを採るための、コンデンサ１７、１９、２０およびコイル１８から成るπ型マッチング回路１３、アンテナスイッチ１４、高域周波数を制限するローパスフィルタ１５およびアンテナ１６を備えている。
【０００３】
かかる無線通信機において、最も電流を流す部分は終段増幅器１２である。通常その出力インピーダンスは効率の良くなる５０Ωに設計されており、更にシャシーに効率よく放熱することができるシンクなどにより終段増幅器１２を構成するトランジスタのジャンクション温度が制限を超えないように考慮されている。しかし、アンテナスイッチ１４やローパスフィルタ１５の部品が損傷を受けた場合、または不良アンテナ１６が接続されたなどの異常状態により、終段増幅器１２の負荷インピーダンスが変わってしまった場合、終段増幅器１２を構成するトランジスタのジャンクション温度が制限を超えしまう可能性が十分に出てくる。
【０００４】
このため、無線通信機ではこの問題を防ぐために、終段増幅器１２の近傍の温度を温度検出集積回路（温度ＩＣとも記す）やサーミスタなどの温度検出器によって検出し、閾値以上の温度を検出したときは出力を下げるなどの対処を行っている。しかし、使用者に対しては無線通信機上においては何ら通知を行うことはしていない。
【０００５】
一方、温度を正確に検出するために、温度検出回路として例えば、温度に応じた電圧を温度検出器により発生させ、その出力電圧をパルス幅変調し、パルス幅変調出力のパルス幅に基づいて温度変動を検出し、温度変動に基づいて温度を算出するようにして、正確に温度を検出するものが提案されている（例えば特許文献１参照）。
【特許文献１】特開２０００−３２９６２０号公報
【発明の開示】
【発明が解決しようとする課題】
【０００６】
しかし、従来は無線通信機において、終段増幅器の近傍温度が高温になって出力低下を行うように構成されていても、使用者は出力が低下させられたことに気づくことはない。また、アンテナスイッチ、ローパスフィルタ、アンテナに不具合があったとしても、使用者は気づかずに無線通信機を使用することになるという問題点がある。
【０００７】
本発明は、使用者に温度上昇が判り、出力低下処理がなされたことが判るようにした無線通信機を提供することを目的とする。
【課題を解決するための手段】
【０００８】
本発明の請求項１にかかる無線通信機は、無線通信機の送信部における終段増幅器近傍の温度を検出する温度検出手段と、温度検出手段による検出温度を表示する温度表示手段とを備え、温度表示手段を無線通信機の表面に設けたことを特徴とする。
【０００９】
本発明の請求項２にかかる無線通信機は、請求項１記載の無線通信機において、送信中に検出温度が予め定めた温度を超えたとき終段増幅器の出力低下制御を行う制御手段を備えたことを特徴とする。
【発明の効果】
【００１０】
本発明の請求項１にかかる無線通信機によれば、終段増幅近傍の温度が温度検出手段により検出され、検出温度は無線通信機の表面に設けられた温度表示手段に表示されるために、使用者は終段増幅器近傍の温度が無線通信機表面の温度表示手段の表示によって判ることになり、温度の異常上昇によって無線通信機の終段増幅器以降において不具合が生じていることが判る。
【００１１】
本発明の請求項２にかかる無線通信機によれば、送信中に検出温度が予め定めた温度を超えたとき終段増幅器の出力低下制御が行われることになる。
【発明を実施するための最良の形態】
【００１２】
以下、本発明にかかる無線通信機を実施の一形態によって説明する。
【００１３】
図１は本発明の実施の一形態にかかる無線通信機の一部の構成を示す模式図である。
【００１４】
本発明の実施の一形態にかかる無線通信機は、図１に示すように、送信部の終段増幅器近傍に温度検出手段である温度ＩＣ１を設けて、終段増幅器近傍の温度を検出する。温度ＩＣ１から出力される検出温度に基づく電圧出力をＡ／Ｄ変換器２に供給してデジタルデータに変換してＣＰＵ４に供給する。
【００１５】
ＣＰＵ４には比較手段５と温度テーブル６と参照／変換手段７を備えている。Ａ／Ｄ変換器２からの出力は予め設定してある所定の閾値、例えば６０℃に対応する値と比較手段８にて比較し、比較結果の出力を増幅器出力制御手段１０に供給する。更に言えば、Ａ／Ｄ変換器２からの出力が閾値以上のときは比較手段５からは高電位出力が制御手段である増幅器出力制御手段１０に供給されて、終段増幅器１２近傍の温度が低下するように終段増幅器１２の出力が低出力に制御され、Ａ／Ｄ変換器２からの出力が閾値未満のときは比較手段５からは低電位出力が増幅器出力制御手段１０に供給されて、終段増幅器１２近傍の温度が閾値以内にとどまるように終段増幅器１２の出力が制御される。
【００１６】
一方、Ａ／Ｄ変換器２からの出力は参照／変換手段７に供給され、温度テーブル６が参照されて、Ａ／Ｄ変換器２からの出力に基づく温度情報が温度テーブル６から取り出され、取り出された温度情報をＬＣＤ表示のための温度情報に変換されてＬＣＤ表示器９に送出され、ＬＣＤ表示器９において温度表示が行われる。したがって、ＬＣＤ表示器９では温度ＩＣ１によって検出された終段増幅器１２の近傍の温度がＬＣＤ表示器９に表示されることになる。この結果、ＬＣＤ表示器９における温度表示から終段増幅器１２以降の回路が不具合であるか否かが使用者にも判ることになる。
【００１７】
この場合に、ＬＣＤ表示器９に温度表示と共に、終段増幅器１２の近傍の温度が閾値より高い温度、閾値未満の温度である旨の表示をＬＣＤ表示器９に表示するようにしてもよく、また、温度表示に代わって終段増幅器１２の近傍の温度が閾値より高い温度、閾値未満の温度である旨の表示をＬＣＤ表示器９に表示するようにしてもよい。
【００１８】
なお、上記温度表示は無線通信機が送信中の場合でも、受信中の場合であっても行われる。送信中の場合は終段増幅器１２は動作を行っており、動作を行っている終段増幅器１２の近傍の温度が表示される。受信中の場合が終段増幅器１２は動作を行っておらず、動作を行っていない終段増幅器１２の近傍の温度、すなわち無線通信機の内部温度が表示されることになる。
【００１９】
また、上記において温度検出器に温度ＩＣ１を用いた場合を例示したが、温度ＩＣ１に代わってサーミスタを用いても差し支えない。温度ＩＣ１の場合は周囲温度と温度ＩＣ１の出力電圧との間には図２に示すように線形性があるが、サーミスタの場合はこのような線形性はないため、温度テーブルの温度刻みは細かくすることが望ましい。
【図面の簡単な説明】
【００２０】
【図１】本発明の実施の一形態にかかる無線通信機の一部の構成を示す模式図である。
【図２】温度テーブルの一例を示す模式図である。
【図３】従来の無線通信機における送信部の出力部分を示すブロック図である。
【符号の説明】
【００２１】
１  温度ＩＣ
２  Ａ／Ｄ変換器
４  ＣＰＵ
５  比較手段
６  温度テーブル
７  参照／変換手段
９  ＬＣＤ表示器
１０  増幅器出力制御手段
１２  終段増幅器
【図１】
2007158734.tif 000003
【図２】
2007158734.tif 000004
【図３】
2007158734.tif 000005